(57)【要約】【課題】本発明は、意思伝達装置に関する物で、正確に意思を伝達できるようにすることを目的とするものである。【解決手段】そしてこの目的を達成するために本発明は、本体ケース１と、この本体ケース１に設けられた入力文字選択部２と、この入力文字選択部２で選択された文字を文字列として表示する表示部３と、この表示部３と同一面上に設けられた前面スピーカ４と、この前面スピーカ４が接続された制御部１４と、この制御部１４に接続された記憶部１９と、この記憶部１９に記録されたガイド用音声とを備え、前記本体ケース１には、前記前面スピーカ４と反対側の面に、背面スピーカ８を設け、前記記憶部１９には、伝達用音声を記録した構成とし、前記前面スピーカ４からは、ガイド用音声で発声し、前記背面スピーカ８からは、伝達用音声で発声する構成とした。【選択図】図１
2012150334.tif 000002
【特許請求の範囲】
【請求項１】
本体ケースと、この本体ケースに設けられた入力文字選択部と、この入力文字選択部で選択された文字を文字列として表示する表示部と、この表示部と同一面上に設けられた第１のスピーカと、この第１のスピーカが接続された制御部と、この制御部に接続された記憶部と、この記憶部に記録された第１の音声とを備え、
前記本体ケースには、前記第１のスピーカと反対側の面に、第２のスピーカを設け、前記記憶部には、第２の音声を記録した構成とし、前記第１のスピーカからは、第１の音声データで発声し、前記第２のスピーカからは、第２の音声データで発声する構成とした意思伝達装置。
【請求項２】
記憶部には、第２の音声データを記録した請求項１に記載の意思伝達装置。
【請求項３】
制御部には、音声出力制御部を設け、この音声出力制御部は、前記入力文字選択部で選択された文字を発声する時には、前記第１のスピーカから発声し、前記表示部の文字列を発声する時には、前記第２のスピーカから発声する構成とした請求項１または２に記載の意思伝達装置。
【請求項４】
前記音声出力制御部は、表示部の文字列を発声する前に、発声開始の報知信号を前記第２のスピーカから発信する構成とした請求項１から３のいずれか一つに記載の意思伝達装置。
【請求項５】
第２のスピーカの近傍には、背面点灯部を設け、この背面点灯部は、前記第１のスピーカから第１の音声データで発声する時には、第１の色で点灯し、前記第２のスピーカから第２の音声データで発声する時には、第２の色で点灯する構成とした請求項１から４のいずれか一つに記載の意思伝達装置。
【発明の詳細な説明】
【技術分野】
【０００１】
本発明は、例えば、会話だけでなく、指先動作さえも困難な状態にある身体障害者が用いる意思伝達装置に関するものである。
【背景技術】
【０００２】
従来の意思伝達装置の構成は、以下のような構成となっていた。
【０００３】
すなわち、本体ケースと、この本体ケースに設けられた入力文字選択部と、この入力文字選択部で選択された文字を文字列として表示する表示部と、この表示部と同一面上に設けられた第１のスピーカと、この第１のスピーカが接続された制御部と、この制御部に接続された記憶部と、この記憶部に記録された第１の音声と、を備えた構成となっていた（例えば下記特許文献１）。
【先行技術文献】
【特許文献】
【０００４】
【特許文献１】実用新案登録第３０２３５４４号公報
【発明の概要】
【発明が解決しようとする課題】
【０００５】
上記従来例における課題は、使用者（身体障害者）が聞き手に自らの意思を正確に伝達できない時があることであった。
【０００６】
すなわち、使用者は意思伝達装置を用いて、伝えたい文章を作成し、この文章を読み上げることで、聞き手に意思を伝達することとなる。
【０００７】
この文章の作成においては、作成に使用する入力文字選択部、表示部、スピーカが、本体ケースの同一面（前面）上に設けられており、使用者は、本体ケースに接続されるオン／オフスイッチを用いて文章を作成していく。
【０００８】
このとき、使用者は、本体ケースの前面側の表示部を用いて、前面に位置するスピーカからの音声を聞きながら文章を作成しており、この文章を伝えたい聞き手は、前記本体ケースを挟んだ背面側に位置している。
【０００９】
そして、文章を読み上げる時には、前面スピーカから作成時と同じ音声データを用いて発声するのであるが、背面側に位置した聞き手に対しては、聞き取りづらいものとなり、使用者が聞き手に自らの意思を正確に伝達できないときがあった。
【００１０】
そこで本発明は、正確に意思を伝達できるようにすることを目的とするものである。
【課題を解決するための手段】
【００１１】
そして、この目的を達成するために本発明は、本体ケースと、この本体ケースに設けられた入力文字選択部と、この入力文字選択部で選択された文字を文字列として表示する表示部と、この表示部と同一面上に設けられた第１のスピーカと、この第１のスピーカが接続された制御部と、この制御部に接続された記憶部と、この記憶部に記録された第１の音声とを備え、前記本体ケースには、前記第１のスピーカと反対側の面に、第２のスピーカを設け、前記記憶部には、第２の音声を記録した構成とし、前記第１のスピーカからは、第１の音声データで発声し、前記第２のスピーカからは、第２の音声データで発声する構成とし、これにより所期の目的を達成するものである。
【発明の効果】
【００１２】
以上のように本発明は、本体ケースと、この本体ケースに設けられた入力文字選択部と、この入力文字選択部で選択された文字を文字列として表示する表示部と、この表示部と同一面上に設けられた第１のスピーカと、この第１のスピーカが接続された制御部と、この制御部に接続された記憶部と、この記憶部に記録された第１の音声とを備え、前記本体ケースには、前記第１のスピーカと反対側の面に、第２のスピーカを設け、前記記憶部には、第２の音声を記録した構成とし、前記第１のスピーカからは、第１の音声データで発声し、前記第２のスピーカからは、第２の音声データで発声する構成としたものであるので、正確に意思を伝達することができる。
【００１３】
すなわち、本発明においては、使用者が、本体ケースに接続されるオン／オフスイッチを用いて、第１のスピーカで発声されるガイド用音声（第１の音声）を聞きながら入力文字を選択する。そして、この選択した文字を、本体ケース前面側の表示部で表示する文字列に追加していき、文章を作成する。
【００１４】
次に、本体ケースの背面側に位置する聞き手に対して、表示部の文字列を文章として読み上げる時には、聞き手側を向いている背面スピーカ（第２のスピーカ）から伝達用音声（第２の音声）で発声する。すると、聞き手側は、自分側に向いた背面スピーカ（第２のスピーカ）からガイド音声（第１の音声）とは異なる伝達用音声（第２の音声）により文章を聞き取ることができるので、正確に相手の意思を聞き取ることができるのである。
【図面の簡単な説明】
【００１５】
【図１】（ａ）本発明の一実施形態を示す前面側斜視図（ｂ）同、背面側斜視図
【図２】同、使用状態を示す図
【図３】同、制御ブロック図
【図４】同、動作フローチャート
【図５】同、入力文字選択部の拡大図
【図６】同、動作状態の入力文字選択部の拡大図
【図７】同、入力文字選択部の拡大図
【図８】同、動作状態の入力文字選択部の拡大図
【図９】同、動作状態の入力文字選択部の拡大図
【図１０】同、表示部の拡大図
【図１１】同、動作状態の入力文字選択部の拡大図
【図１２】同、動作状態の入力文字選択部の拡大図
【図１３】同、動作状態の入力文字選択部の拡大図
【発明を実施するための形態】
【００１６】
以下、本発明の一実施形態を、例えば、会話だけでなく、指先動作さえも困難な状態にある身体障害者が用いる意思伝達装置に適用し、これを添付図面を用いて説明する。
【００１７】
図１（ａ）において、１は箱状の本体ケースで、その前面側下方には、入力文字選択部２が設けられている。この入力文字選択部２には、複数の入力文字および複数の意思伝達用アイコンが縦横の行列形状（たとえば、６列×１４行）で配置されている。なお、これら各々の入力文字やアイコンは、本体ケース１内部に設けられた各々の照明部（図示せず）により個別に点灯される構造となっている。
【００１８】
また、本体ケース１の前面側には、入力文字選択部２の上方に表示部３が設けられ、この表示部３の左方に前面スピーカ４、右方に電源スイッチ５が設けられている。また、使用者の介護を行う介護者が使用する操作ボタン６が、表示部３の右左方にそれぞれ２個づつ設けられている。
【００１９】
さらにまた本体ケース１には、入力部の一例としてオン／オフスイッチ７が接続されている。
【００２０】
図１（ｂ）は、本体ケース１の背面側を示しており、この背面側には、背面スピーカ８を設け、このスピーカ８の近傍に背面ＬＥＤ９（背面点灯部の一例）を設けている。
【００２１】
図２は、本実施形態の意思伝達装置の使用状態の一例を示し、例えば、車いす１０に座った使用者の胸の前には、アーム１１によって保持された本体ケース１が、その前面側を使用者に向けて配置されている。一方、この本体ケース１を挟んで使用者と反対側（本体ケース１の背面側）には、使用者の意志を伝達したい聞き手１２が立っている。
【００２２】
この状態で、使用者は、膝上の机１０Ａに載せたオン／オフスイッチ７を操作して、文章を作成し、つぎに、この文章を発声させることで聞き手１２に自分の意志を伝達する。
【００２３】
図３は、制御ブロックを示し、オン／オフスイッチ７は、入力制御部１３を介して制御部１４に接続されている。また、電源スイッチ５も制御部１４に接続されており、表示部３も表示制御部１５を介して制御部１４に接続され、入力文字選択部２も入力文字選択制御部１６を介して制御部１４に接続されている。
【００２４】
さらに、この制御部１４には、背面ＬＥＤ９がＬＥＤ表示制御部１７を介して接続され、前面スピーカ４と背面スピーカ８とが音声出力制御部１８を介して接続されている。
【００２５】
さらにまた、制御部１４には、記憶部１９が接続されている。この記憶部１９内には、ガイド用音声を記録したガイド用音声記録部２０と、伝達用音声を記録した伝達用音声記録部２１とが設けられている。なお、ガイド用音声は、使用者が文章を作成する時に使用し、伝達用音声は、聞き手１２に対して文章を発声する時に使用する。
【００２６】
なお、本実施形態においては、ガイド用音声および伝達用音声は異なる音声、例えばガイド用音声は大人の女性音声、伝達用音声は高齢者の男性音声、としている。そしてこれらの音声は、あらかじめ、ガイド用音声記録部２０と伝達用音声記録部２１とに、それぞれ記録されている。
【００２７】
また、制御部１４には、基本制御プログラムを格納したＲＯＭ２２が接続されている。
【００２８】
以上の構成において、その動作を図４のフローチャートを用いて説明する。
【００２９】
まず、使用者の介護者が電源スイッチ５を入れると、制御部１４に通電し、制御部１４は、まず、スリープ状態となる。次に、使用者が、オン／オフスイッチ７を長押しすると、制御部１４は、音声出力制御部１８を介して前面スピーカ４をオンとする。さらに、制御部１４は、ＬＥＤ表示制御部１７を介して背面ＬＥＤ９をオレンジ色に点灯させ、文章の作成が始まることを聞き手１２に知らせるとともに、音声出力制御部１８を介して背面スピーカ８をオフにする（図４のＳ１）。
【００３０】
この状態から、使用者がオン／オフスイッチ７を押下すると、制御部１４は、入力文字選択部２のスキャン動作を開始する（図４のＳ２）。
【００３１】
このスキャン動作の一例として、使用者が「ほ」の文字を選択する場合を例にして、図５から図９を用いて説明する。
【００３２】
まず、スキャン動作は、入力文字選択制御部１６により大ブロック選択から開始される。このスキャン動作が開始されると、図５に示すごとく、入力文字選択部２では、３つの大ブロック２３Ａ（意思伝達用アイコン群、６行×４列）、２３Ｂ（入力文字群、５行×５列）、２３Ｃ（入力文字群、５行×５列）が、入力文字選択制御部１６により、順次、選択点灯されスキャンされていく。
【００３３】
そして、大ブロック２３Ｃが点灯された時に（図６）、使用者がオン／オフスイッチ７を押下すると、入力文字選択制御部１６は、大ブロック２３Ｃが選択されたと判定する（図４のＳ３）。
【００３４】
次に、入力文字選択制御部１６は、中ブロックのスキャン動作を開始する。このスキャン動作が開始されると、図７に示すごとく、入力文字選択部２では、５つの中ブロック２４Ａ（は〜ほ）、２４Ｂ（ま〜も）、２４Ｃ（や〜上○）、２４Ｄ（ら〜ろ）、２４Ｅ（わ〜小）が、順次スキャンされていく。
【００３５】
そして、中ブロック２４Ａが点灯された時に（図７）、使用者がオン／オフスイッチ７を押下すると、入力文字選択制御部１６は、中ブロック２４Ａが選択されたと判定する（図４のＳ４）。
【００３６】
その後、入力文字選択制御部１６は、中ブロックの文字（は〜ほ）のスキャン動作を開始する。そして、図９に示すごとく、「ほ」の文字がスキャンされた時に、オン／オフスイッチ７を押下すると、制御部１４は、選択された文字が「発音」か否かを判定する（図４のＳ５）。この「発音」選択時の動作は後で説明する。
【００３７】
今回選択されたのは、「ほ」の文字であるので、制御部１４は、表示制御部１５により、図１０に示すごとく、表示部３に「ほ」の文字を追加する（図４のＳ６）。
【００３８】
そして、制御部１４は、音声出力制御部１８により、ガイド用音声記録部２０のガイド用音声を用いて前面スピーカ４から「ほ」の文字を発音する（図４のＳ７）。
【００３９】
なお、これらのスキャン動作をする際には、ガイド用音声が適切に出力されており、例えば中ブロックのスキャン時には、スキャンに合わせて「はひふへほ」「まみむめも」「やゆよ」「らりるれろ」「わをん」と、それぞれがガイド用音声で出力される。
【００４０】
使用者は、以上のスキャン動作（図４のＳ２〜Ｓ７）を繰り返すことにより、表示部３に文字を追加して文字列を作成していき、図１の表示部３に示すごとく、文章（例えば「ほんとうにうれしい」）を作成する。
【００４１】
文章が完成した時に、使用者は、上述したスキャンを用いて、図１１の大ブロック２３Ａ（意思伝達用アイコン群、６行×４列）、図１２の中ブロック（発音〜時間）、と順次選択していき、最後に図１３の「発音」を選択すると、表示部３の文章が聞き手１２に伝えるべく発音される（図４のＳ５のＹＥＳ）。
【００４２】
この時、図２からも明らかなように、本体ケース１の前面側は文章を作成する使用者側を向いており、伝えたい聞き手１２は本体ケースの背面側に位置している。このため、表示部３の文章を、使用者に向かってガイド用音声を用いて読み上げると、背面側に位置した聞き手１２に対しては、聞き取りづらいものとなり、使用者が聞き手１２に自らの意思を正確に伝達できないときがあった。
【００４３】
そこで、本実施形態では、以下のような対応を図ることとした。
【００４４】
すなわち、本体ケース１には、この本体ケース１の背面側に、背面スピーカ８と背面ＬＥＤ９を設け、記憶部１９の伝達用音声記録部２１には、ガイド用音声（たとえば大人の女性音声）とは異なる伝達用音声（たとえば高齢者の男性音声）を記録した構成としている。
【００４５】
この構成において、まず、表示部３の文章を読み上げるときには、制御部１４は、音声出力制御部１８を介して前面スピーカ４をオフとする。さらに、制御部１４は、ＬＥＤ表示制御部１７を介して背面ＬＥＤ９をオレンジからグリーンに変えて点灯させ、文章の読み上げが始まったことを聞き手１２に知らせる（図４のＳ８）。
【００４６】
次に、制御部１４は、音声出力制御部１８により、発声開始を報知する報知信号の一例として、たとえば「用件一件を再生します。」と、伝達用音声記録部２１の伝達用音声を用いて背面スピーカ８から発声する。
【００４７】
したがって、この報知信号と背面ＬＥＤ９のグリーン点滅により、聞き手１２は「今から、用件の再生が始まる」と認識することができ、注意を使用者に向けることができるものとなっている（図４のＳ９）。
【００４８】
その後、音声出力制御部１８により、表示部３の文章を、伝達用音声記録部２１の伝達用音声を用いて読み上げ、背面スピーカ８から出力する。
【００４９】
そのため、背面側に位置する聞き手１２に対して、表示部３の文章を読み上げる時には、聞き手１２を向いている背面スピーカ８から伝達用音声記録部２１の伝達用音声で発声することとなる。
【００５０】
その結果として、聞き手１２は、自分側に向いた背面スピーカ８から、ガイド音声（たとえば大人の女性音声）とは明らかに異なる伝達用音声（たとえば高齢者の男性音声）により文章を聞き取ることができるので、使用者は、自らの意志を正確に伝達することができるのである（図４のＳ１０）。
【００５１】
そして、表示部３の文章の読み上げが終了すると（図４のＳ１１）、再び、図４のＳ１に戻り、制御部１４は、ＬＥＤ表示制御部１７を介して背面ＬＥＤ９をグリーンからオレンジに変えて点灯させ、文章の読み上げが終わったことを聞き手１２に知らせるのである。
【産業上の利用可能性】
【００５２】
以上のように本発明は、本体ケースと、この本体ケースに設けられた入力文字選択部と、この入力文字選択部で選択された文字を文字列として表示する表示部と、この表示部と同一面上に設けられた第１のスピーカと、この第１のスピーカが接続された制御部と、この制御部に接続された記憶部と、この記憶部に記録された第１の音声とを備え、前記本体ケースには、前記第１のスピーカと反対側の面に、第２のスピーカを設け、前記記憶部には、第２の音声を記録した構成とし、前記第１のスピーカからは、第１の音声データで発声し、前記第２のスピーカからは、第２の音声データで発声する構成としたものであるので、正確に意思を伝達することができる。
【００５３】
すなわち、本発明においては、使用者が、本体ケースに接続されるオン／オフスイッチを用いて、第１のスピーカで発声されるガイド用音声（第１の音声）を聞きながら入力文字を選択する。そして、この選択した文字を、本体ケース前面側の表示部で表示する文字列に追加していき、文章を作成する。
【００５４】
次に、本体ケースの背面側に位置する聞き手に対して、表示部の文字列を文章として読み上げる時には、聞き手側を向いている背面スピーカ（第２のスピーカ）から伝達用音声（第２の音声）で発声する。すると、聞き手側は、自分側に向いた背面スピーカ（第２のスピーカ）からガイド音声（第１の音声）とは異なる伝達用音声（第２の音声）により文章を聞き取ることができるので、正確に相手の意思を聞き取ることができるのである。
【００５５】
したがって、例えば、会話だけでなく、指先動作さえも困難な状態にある身体障害者が用いる意思伝達装置として、広く活用が期待されるものである。
【符号の説明】
【００５６】
１  本体ケース
２  入力文字選択部
３  表示部
４  前面スピーカ
５  電源スイッチ
６  操作ボタン
７  オン／オフスイッチ
８  背面スピーカ
９  背面ＬＥＤ
１０  車いす
１０Ａ  机
１１  アーム
１２  聞き手
１３  入力制御部
１４  制御部
１５  表示制御部
１６  入力文字選択制御部
１７  ＬＥＤ表示制御部
１８  音声出力制御部
１９  記憶部
２０  ガイド用音声記録部
２１  伝達用音声記録部
２２  ＲＯＭ
２３Ａ，２３Ｂ，２３Ｃ  大ブロック
２４Ａ，２４Ｂ，２４Ｃ，２４Ｄ，２４Ｅ  中ブロック
【図１】
2012150334.tif 000003
【図２】
2012150334.tif 000004
【図３】
2012150334.tif 000005
【図４】
2012150334.tif 000006
【図５】
2012150334.tif 000007
【図６】
2012150334.tif 000008
【図７】
2012150334.tif 000009
【図８】
2012150334.tif 000010
【図９】
2012150334.tif 000011
【図１０】
2012150334.tif 000012
【図１１】
2012150334.tif 000013
【図１２】
2012150334.tif 000014
【図１３】
2012150334.tif 000015